(57)【要約】【課題】  長尺状体を引き出して一旦停止したリールにつき、次に長尺状体を引いた際、長尺状体を引き出す方向へのリールの回転を所定量の回転のみで停止させることを可能にした巻き取り装置の提供を図る。【解決手段】  長尺状体を巻回するリールと、リールを回動可能に支持するケース１と、リールを一回転方向に付勢する付勢手段と、リールに設けられた被案内部５１とを備える。ケース１は、被案内部５１をガイドする案内路を有する。案内路は、環状の巻き込み専用路１１と、環状の引き出し専用路１３と、巻き込み専用路１１から引き出し専用路１３へ導通する渡り路１２と、引き出し専用路１３から巻き込み専用路１１へ導通する連絡路１４とを備える。連絡路１４は、第１と第２の折り返し点１５ａ,１５ｂと、これらをジグザグに結ぶ通路１６ａ,１６ｂ,１６ｃを備える。被案内部５１が各折り返し点１５ａ,１５ｂで停止することにより、リール２は２度停止する。【選択図】          図６
2005089032.tif 000002
【特許請求の範囲】
【請求項１】
電源コード等の長尺状体を巻回するリールと、このリールを回動可能に支持するケースと、このリールを一方向に付勢する付勢手段と、ケースに設けられた案内路と、リールに設けられリールの回転に伴い案内路に案内されて移動する被案内部とを備え、
案内路は、
付勢手段の付勢力によりリールが正回転することにより長尺状体が巻込まれるときの被案内部の通路となる環状の巻き込み専用路と、
長尺状体が引き出されることにより付勢手段の付勢力に抗してリールが逆回転するときの被案内部の通路となる環状の引き出し専用路と、
巻き込み専用路から引き出し専用路へ導通する渡り路と、
引き出し専用路から巻き込み専用路へ導通する連絡路とを備え、
渡り路は、付勢手段の付勢力によるリールの回転方向に対して逆方向の逆回転方向に伸びる通路であり、
連絡路は、一端が引き出し専用路に導通し、他端が巻き込み専用路に導通したものであり、且つ、連絡路中に設けられた第１と第２の少なくとも２つの折り返し点を経てジグザクに引き出し専用路から巻き込み専用路に導通するものであり、
各折り返し点を挟んで伸びる連絡路の方向は、付勢手段の付勢力によるリールの回転方向に対して同方向の正回転方向と、付勢手段の付勢力によるリールの回転方向に対して逆方向の逆回転方向との２方向であり、
引き出し専用路と第１折り返し点との間の連絡路は正回転方向に伸びるものであることを特徴とする長尺状体の巻き取り装置。
【請求項２】
折り返し点が第１と第２の２つであり、第１折り返し点と第２折り返し点との間の連絡路は逆回転方向に伸びるものであり、第２折り返し点と巻き込み専用路との間の連絡路は正回転方向に伸びるものであることを特徴とする請求項１記載の長尺状体の巻き取り装置。
【請求項３】
折り返し点が第１と第２と第３の３つであり、第１折り返し点と第２折り返し点との間の連絡路は逆回転方向に伸びるものであり、第２折り返し点と第３折り返し点との間の連絡路は正回転方向に伸びるものであり、第３折り返し点と巻き込み専用路との間の連絡路は逆回転方向に伸びるものであることを特徴とする請求項１記載の長尺状体の巻き取り装置。
【請求項４】
渡り路と連絡路とがそれぞれ複数設けられたことを特徴とする請求項１〜３の何れかに記載の長尺状体の巻き取り装置。
【請求項５】
長尺状体を巻回するリールが複数個同軸上に同体に回転可能に設けられたことを特徴とする請求項１〜４の何れかに記載の長尺状体の巻き取り装置。
【請求項６】
電源コード等の長尺状体を巻回するリールと、このリールを回動可能に支持する支持体と、このリールを一方向に付勢する付勢手段と、リールと支持体との何れか一方に設けられた案内路と、リールと支持体との何れか他方に設けられリールの回転に伴い案内路に案内されて移動する被案内部とを備え、
案内路は、
付勢手段の付勢力によりリールが正回転することにより長尺状体が巻込まれるときの被案内部の通路となる巻き込み専用路と、
長尺状体が引き出されることにより付勢手段の付勢力に抗してリールが逆回転するときの被案内部の通路となる引き出し専用路と、
リールが逆回転した時に巻き込み専用路から引き出し専用路へ被案内部を案内するための通路となる渡り路と、
引き出し専用路から巻き込み専用路へ被案内部を案内する通路となる連絡路とを備え、連絡路は、一端が引き出し専用路に導通し、他端が巻き込み専用路に導通したものであり、且つ、連絡路中に設けられた第１と第２の少なくとも２つの折り返し点を経て引き出し専用路から巻き込み専用路に導通するものであり、
各折り返し点は、折り返し点を挟む連絡路の方向を、リールが正回転したとき被案内部を導く正回転方向と、リールが逆回転したとき被案内部を導く逆回転方向とに変更するものであり、引き出し専用路と第１折り返し点との間の連絡路は、リールが正回転したとき引き出し専用路から第１折り返し点へ被案内部を導く正回転方向のものであることを特徴とする長尺状体の巻き取り装置。
【発明の詳細な説明】
【技術分野】
【０００１】
本願発明は、電源コードや信号コードなどのコード類、水道ホースやガスホース等のホース類、ロープ、ワイヤ、紐等々、各種の長尺状体をゼンマイばね等の付勢手段によって巻き取ることができる長尺状体の巻き取り装置に関するもである。
【背景技術】
【０００２】
従来より、ケースに設けた所定形状の案内溝によって、長尺状体の巻き込み、引き出しを行う長尺状体の巻き取り装置としては、電源コードを巻き取るために種々の電気製品に取り付けられているコードリールが知られており、特許文献１〜３等で紹介されている。これらのコードリールは、コードを巻回するリールがケース内に回動自在に取り付けられるとともに、このリールをぜんまいバネ等の付勢手段によって、一方向（具体的には、コードの巻取り方向）に付勢するようにしたもので、付勢手段に抗して引き出されたコードを、付勢手段の作用によって自動的に巻き込むようにしたものである。その際、コードを引き出した後、手を離せば、コードが巻き込まれることなく、その長さに停止する一方、巻き込みに際しては、コードを引き出して手を離すことによって、コードが自動的に巻き込まれるように設計されている。この仕組みは、リールに取り付けられたストップレバー（より詳しくはストップレバーから下方に突設した被案内部）が、ケースに設けた案内溝によって案内されつつ摺動することにより、リールの回転、停止、逆回転がなされるようにしたものである。
【０００３】
この案内溝について、実公平４−２０８６０号に基づいて実施された製品のケースの平面図を図１０に示す。この図１０の案内溝は、コードを巻込むときの被案内部の通路となる巻き込み専用路１０１と、コードを引き出すときの被案内部の通路となる引き出し専用路１０２と、巻き込み専用路１０１から引き出し専用路１０２へ被案内部を案内するための通路となる渡り路１０３と、引き出し専用路１０２から巻き込み専用路１０１へ被案内部を案内する通路となる案内路１０４とを備える。案内路１０４は、１つの折り返し点１０５を備える。この案内路１０４は、引き出し専用路１０２と折り返し点１０５とを結ぶ第１案内路１０４ａと、折り返し点１０５を引き出し専用路１０２とを結ぶ第２案内路１０４ｂとを備える。
【０００４】
使用に際しては、コードを引き出すことにより、付勢手段の付勢力に抗して、リールが回転（図の例では右回転）する。このとき、リールに設けられた被案内部は巻き込み専用路１０１から渡り路１０３を経て引き出し専用路１０２に入り、引き出し専用路１０２内を周回する。
次に、コードから手を離すと、付勢手段の付勢力によって、リールが逆方向に回転（左回転）する。これにより、被案内部は引き出し専用路１０２から第１案内路１０４ａに入り、折り返し点１０５に至り、その突き当たりで停止する。これにより、リールの回転は停止し、コードは所定長さが引き出された状態を維持する。
次に、コードを巻き取る際には、コードを人が引き出す。これにより、被案内部は折り返し点１０５から巻き込み専用路１０１内に入り、巻き込み専用路１０１内を回転（右回転）する。そして、人がコードの引き出しを止めると、付勢手段の付勢力によってリールが回転（左回転）し、被案内部は巻き込み専用路１０１内を回転し続け、コードを最後まで巻き込むものである。
【０００５】
このように、従来のコードリールにあっては、コードを巻き込む際には、人がコードを引き出すことによって行われるものであるが、このコードの引き出しの際には、被案内部が巻き込み専用路１０１に入っており周回可能な状態であるため、いくらでも引き出すことができる。その結果、例えば、コードが最後近くまで引き出された状態でコードを巻き込む際には、力強くコードを引くと、コードを最後まで引き出してしまうことは勿論、この引き出し不能な状態からコードに引張力を作用させてしまう。その結果、コードの接点にまで引張力が作用してしまい、コードの接点が外れてしまう恐れがある。
言い換えれば、従来のコードリールにあっては、最初にコードを引き出して一旦停止した際、コードは、一見所定長さで固定（係止）されているように見えるが、コードを引き出す方向には自由状態となっていたものである。
【０００６】
また、従来のコードリールにあっては、コードを巻き込む際には、人がコードを一回だけ引き出せば、後は付勢手段の付勢力によって自動的にコードが巻き込まれる。ところが、コードを足で引っ掛けたりした場合にも、同じように、コードが引き出されてしまい、自動的にコードが巻き込まれる。その結果、例えば、テーブルの端に電気ポットが置かれていた場合などには、たとえ足でコードを引っ掛けただけでは電気ポットが落下しなかった場合であっても、それを契機にコードが巻き込まれる結果、電気ポットがテーブルから落下してしまったりするおそれがある。また、コードの端の差込プラグがソケットから抜けてしまって電源が不用意に切断されてしまうおそれもある。
【０００７】
【特許文献１】実公昭６２−４３９７３号
【特許文献２】実公平４−２０８６０号
【特許文献３】特開２００２−２２６１４５号
【発明の開示】
【発明が解決しようとする課題】
【０００８】
本願発明は、コード等の長尺状体を引き出して一旦停止したリールについて、再度長尺状体を引いた場合に、いくらでも引き出すことができるようにするのではなく、長尺状体を引き出す方向へのリールの回転を所定量の回転のみで停止させることができるようにした長尺状体の巻き取り装置の提供を目的とするものである。また見方を変えれば、本願発明の目的は、コード等の長尺状体を所定長さまで引き出した状態で、長尺状体を引き出す方向にも固定状態となり得る長尺状体の巻き取り装置の提供することにある。
本願発明の他の目的は、コード等の長尺状体を引き出して停止したリールについて、一回の長尺状体の引き出しではコードの巻き取りが開始されないようにし、２回以上引くことによって長尺状体の巻き取りが開始されるようにした長尺状体の巻き取り装置の提供を図ることにある。
【課題を解決するための手段】
【０００９】
本願の請求項１に係る発明は、電源コード等の長尺状体４を巻回するリール２と、このリール２を回動可能に支持するケース１と、このリール２を一方向に付勢する付勢手段３と、ケース１に設けられた案内路と、リール２に設けられリール２の回転に伴い案内路に案内されて移動する被案内部５１とを備え、案内路は、付勢手段３の付勢力によりリール２が正回転することにより長尺状体４が巻込まれるときの被案内部５１の通路となる環状の巻き込み専用路１１と、長尺状体４が引き出されることにより付勢手段３の付勢力に抗してリール２が逆回転するときの被案内部５１の通路となる環状の引き出し専用路１３と、巻き込み専用路１１から引き出し専用路１３へ導通する渡り路１２と、引き出し専用路１３から巻き込み専用路１１へ導通する連絡路１４とを備え、渡り路１２は、付勢手段３の付勢力によるリール２の回転方向に対して逆方向の逆回転方向に伸びる通路であり、連絡路１４は、一端が引き出し専用路１３に導通し、他端が巻き込み専用路１１に導通したものであり、且つ、連絡路１４中に設けられた第１と第２の少なくとも２つの折り返し点１５ａ、１５ｂを経てジグザクに引き出し専用路１３から巻き込み専用路１１に導通するものであり、各折り返し点１５ａ、１５ｂを挟んで伸びる連絡路１４の方向（具体的には、第１折り返し点１５ａに対しては第１通路１６ａの方向と第２通路１６ｂの方向、第２折り返し点１５ｂに対しては第１通路１６ｂの方向と第２通路１６ｃの方向）は、付勢手段３の付勢力によるリール２の回転方向に対して同方向の正回転方向と、付勢手段３の付勢力によるリール２の回転方向に対して逆方向の逆回転方向との２方向であり、引き出し専用路１３と第１折り返し点１５ａとの間の連絡路１６ａは正回転方向に伸びるものであることを特徴とする長尺状体の巻き取り装置を提供する。
本願の請求項２に係る発明は、折り返し点１５ａ、１５ｂが第１と第２の２つであり、第１折り返し点１５ａと第２折り返し点１５ｂとの間の連絡路１６ｂは逆回転方向に伸びるものであり、第２折り返し点１６ｂと巻き込み専用路１１との間の連絡路１６ｃは正回転方向に伸びるものであることを特徴とする請求項１記載の長尺状体の巻き取り装置を提供する。
本願の請求項３に係る発明は、折り返し点１５ａ、１５ｂ、１５ｃが第１と第２と第３の３つであり、第１折り返し点１５ａと第２折り返し点１５ｂとの間の連絡路１６ｂは逆回転方向に伸びるものであり、第２折り返し点１５ｂと第３折り返し点１５ｃとの間の連絡路１６ｃは正回転方向に伸びるものであり、第３折り返し点１６ｃと巻き込み専用路１１との間の連絡路１６ｄは逆回転方向に伸びるものであることを特徴とする請求項１記載の長尺状体の巻き取り装置を提供する。
本願の請求項４に係る発明は、渡り路１２と連絡路１４とがそれぞれ複数設けられたことを特徴とする請求項１〜３の何れかに記載の長尺状体の巻き取り装置を提供する。
本願の請求項５に係る発明は、長尺状体４を巻回するリール２が複数個同軸上に同体に回転可能に設けられたことを特徴とする請求項１〜４の何れかに記載の長尺状体の巻き取り装置を提供する。
本願の請求項６に係る発明は、電源コード等の長尺状体４を巻回するリール２と、このリール２を回動可能に支持する支持体１と、このリール２を一方向に付勢する付勢手段３と、リール２と支持体１との何れか一方に設けられた案内路と、リール２と支持体との何れか他方に設けられリール２の回転に伴い案内路に案内されて移動する被案内部５１とを備え、案内路は、付勢手段３の付勢力によりリール２が正回転することにより長尺状体４が巻込まれるときの被案内部５１の通路となる巻き込み専用路１１と、長尺状体４が引き出されることにより付勢手段３の付勢力に抗してリール２が逆回転するときの被案内部５１の通路となる引き出し専用路１３と、リール２が逆回転した時に巻き込み専用路１１から引き出し専用路１３へ被案内部５１を案内するための通路となる渡り路１２と、引き出し専用路１３から巻き込み専用路１１へ被案内部５１を案内する通路となる連絡路１４とを備え、連絡路１４は、一端が引き出し専用路１３に導通し、他端が巻き込み専用路１１に導通したものであり、且つ、連絡路１４中に設けられた第１と第２の少なくとも２つの折り返し点１５ａ、１５ｂを経て引き出し専用路１３から巻き込み専用路１１に導通するものであり、各折り返し点１５ａ、１５ｂは、折り返し点１５ａを挟む連絡路（具体的には、第１折り返し点１５ａに対しては第１通路１６ａの方向と第２通路１６ｂの方向、第２折り返し点１５ｂに対しては第１通路１６ｂの方向と第２通路１６ｃの方向）の方向を、リール２が正回転したとき被案内部５１を導く正回転方向と、リール２が逆回転したとき被案内部５１を導く逆回転方向とに変更するものであり、引き出し専用路１３と第１折り返し点１５ａとの間の連絡路１６ａは、リール２が正回転したとき引き出し専用路１３から第１折り返し点１５ａへ被案内部５１を導く正回転方向のものであることを特徴とする長尺状体の巻き取り装置を提供する。
【発明の効果】
【００１０】
本願発明は、折り返し点を２つ以上設けることにより、長尺状体を引き出して一旦停止したリールについて、再度長尺状体を引いた場合に、いくらでも引き出すことができるようにするのではなく、長尺状体を引き出す方向へのリールの回転を所定量の回転のみで停止させることができるようにした長尺状体の巻き取り装置の提供することができたものである。言い換えれば、本願発明、コード等の長尺状体を所定長さまで引き出した状態で、長尺状体を引き出す方向にも固定状態となり得る長尺状体の巻き取り装置を提供することができたものである。
また、本願発明は、長尺状体を引き出して一旦停止したリールについて、一回の長尺状体の引き出しではコードの巻き取りが開始されないようにし、２回以上引くことによって長尺状体の巻き取りが開始されるようにした長尺状体の巻き取り装置の提供を図ることができたものである。
【発明を実施するための最良の形態】
【００１１】
以下、図面に基づき本願発明の実施の形態を説明する。
図１は本願発明の第１の実施の形態に係るコード巻き取り装置のケースの平面図であり、図２はケースの案内路の構造を説明するもので、（Ａ）は要部平面図であり、（Ｂ）（Ｃ）（Ｄ）（Ｅ）（Ｆ）はそれぞれ同断面図である。図３（Ａ）は同装置のストップレバーの斜視図であり、図３（Ｂ）は同装置のストップレバーを取り付けたリールを下方から見た斜視図であり、図４は同装置の断面図である。図５は同装置におけるケースの案内路の平面図であり、主としてコードを引き出した際の被案内部の移動経路を示すものである。図６は同装置におけるケースの案内路の平面図であり、主としてコードを巻き込む際の被案内部の移動経路を示すものである。
【００１２】
この装置は、図４に示すように、ケース１と、リール２と、リール２を付勢する手段としてのゼンマイバネ３とを備える。このケース１はリールを２を回動可能に支持する支持体として実施されたものであるが、リール１を回動可能に支持し得るものであればよく、例えば、フレームのみで構成されていてもよく、この巻き取り装置が取り付けられる電気器具の本体の一部をなすものであってもよい。リール２は、コード４を巻回し、ケース１内に回動可能に取り付けられ、ゼンマイバネ３によって、常時、コード４を巻き込む方向に回転するように付勢されている。
【００１３】
ケース１の下面には、所定形状の案内路が設けられ、図３に示すように、リール２に回動可能に設けられたストップレバー５の被案内部５１（即ち、突起５１）が、案内路に案内されつつ摺動することによって、リールの回転と停止を制御する。この案内路の構造と、これに伴う被案内部５１の動きが、本願発明の要部であり、この点については、後にさらに詳細に説明する。
【００１４】
このコード巻き取り装置全体の構造について、図４に戻りさらに説明を続けると、ケース１は、下側の本体１ａと上側の蓋体１ｂとからなり、本体１ａには略中央に軸１ｃが突設され、その周囲にゼンマイバネ３を収納する空間を隔てて案内路が形成され、最外周に周壁１ｄが形成されている。蓋体１ｂの略中央の上面には、電気器具への電気接続部１ｅが設けられ、その内面側にはリール２との電気的接触を保つ接点部１ｆが設けられている。リール２は、上記軸１ｃが回動可能に挿入される軸孔２１を略中央に備え、このリール２によって、ケース１内の空間が上下に区画され、コード４が上方の空間に配位され、ゼンマイバネ３とストップレバー５が下方の空間に配位される。このリール２の上面には、本体の接点部１ｆとの接触を保つ接点部２２が設けられ、この接点部２２の周囲が、コード巻回部２３となる。コード４は、基端が接点部２２に接続され、他端は、ケース外１に引き出される。リール２の下面側の中央には、ゼンマイバネ３が装着され、外側にストップレバー５が回動可能に取り付けられる。
【００１５】
ストップレバー５は、この例では全体が合成樹脂製で、図３に示すように、基部５２がリール２の下面に回動可能に軸支され、先端側の下面に、ケース２の案内路によって案内され摺動される被案内部５１としての突起５１が設けられている。さらに、この例では、ストップレバー４の突起５１をケース１の下面の方向に付勢して、確実に案内路によって案内されるようにするための付勢手段５３が設けられている。この付勢手段５３は、ストップレバー５の先端にストップレバー５本体と一体に成形され斜め上方に伸びる突片５３として実施されており、この突片５３の先端がリール２の下面に当接することによって、突起５１を下方に押しつける状態にしている。但し、この付勢手段５３はストップレバー本体５と一体に形成する必要はなく、金属製のバネ材等の別個の部材を、ストップレバー本体５に設けるようにしてもよい。このリール２がケース１に取り付けられた状態で、ストップレバー５の被案内部５１が案内路に位置することとなり、リール２の回転に伴って、ストップレバー５の被案内部５１が案内路内を摺動する。この例では、ゼンマイバネの付勢力でコードを巻き込む際には、リール２及び被案内部５１は、左回転し（矢印Ｌ方向）、人などがコードを引っ張り、引き出す際には、右回転する（矢印Ｒ方向）。以下、左回転方向（矢印Ｌ方向）を正回転方向若しくは巻き込み方向と呼び、右回転（矢印Ｒ方向）方向を逆回転方向若しくは引き出し方向と呼ぶ。
【００１６】
次に、ケース１の案内路について、図１及び図２を参照して、詳細に説明する。案内路は、前述のように、被案内部５１の動きを規制して所定の方向に移動させるための通路であり、この実施の形態では、凹凸によって形成された溝状をなすものであるが、貫通した孔状のものや、被案内部５１と係合してその移動方向を規制する突条や他の形状のものであってもよい。
【００１７】
この案内路は、巻き込み専用路１１、引き出し専用路１３、渡り路１２、連絡路１４とを備える。この例では、渡り路１２と連絡路１４とは、１組のみが設けられているが、コードリールの大きさ等によって適宜変更できるものであり、２組でもよく、３組以上設けてもよい。
【００１８】
巻き込み専用路１１は、コードを巻き込むときのストップレバー５の被案内部５１の通路となるもので、この例では、環状をなして、ケース１の外周側を１周している。引き出し専用路１３は、コードを引き出すときの被案内部５１の通路となるもので、この例では、環状をなして、ケース１の内周側を１周している。なお、巻き込み専用路１１と引き出し専用路１３とは「専用」という用語を用いているが、これは「主」として引き出し時又は巻き込み時にストップレバーが移動する通路となることを意味するに止まり、短期間ではあるが、引き出し時に被案内部５１が巻き込み専用路１１に位置していたり、巻き込み止めに被案内部５１が引き出し専用路１３に位置している場合もあり得るものである。また、巻き込み専用路１１が内周側に位置し、引き出し専用路１３が外周側に位置するようにして実施してもよい。
【００１９】
渡り路１２は、巻き込み専用路１１から引き出し専用路１３へ、被案内部５１を案内するための通路となる。この渡り路１２は、一端が巻き込み専用路１１に連通し、他端が引き出し専用路１３へ連通しており、一端から他端にかけて、引き出し方向（逆回転方向：矢印Ｒ方向）に緩やかに湾曲して伸びている。尚、本願発明において、各案内路の方向、特に、渡り路１２、連絡路１４の方向は、被案内部５１の進行方向を基準して記載したものであり、「引き出し方向（逆回転方向：矢印Ｒ方向）に伸びる」と、「巻き取り方向（逆回転方向：矢印Ｌ方向）に伸びる」とは、各案内路の入口（被案内部５１の進行元）から見て、各案内路が、当該入口と中心（軸１ｃ）とを結んだ線分ｒを基準線として２分した領域の、何れの領域に向けて各案内路が伸びるかを基準に区別したものであり、幾何学的な意味で円周方向にのみ伸びるものに限定するものではない。図１を参照して具体的に説明すると、渡り路１２は、当該渡り路１２の入口と中心（軸１ｃ）とを結んだ線分ｒを基準として、引き出し方向（逆回転方向：矢印Ｒ方向）側の領域に伸びているものである。よって、この渡り路１２が伸びる方向は、引き出し方向（逆回転方向：矢印Ｒ方向）であるとしている。
【００２０】
次に、引き出し専用路１３から巻き込み専用路１１へ被案内部５１を案内する通路として、連絡路１４が設けられている。この連絡路１４は、一端が引き出し専用路１３に連通し、他端が巻き込み専用路１１へ連通しているもので、第１折り返し点１５ａと第２折り返し点１５ｂとの２つの折り返し点と、引き出し専用路１３と第１折り返し点１５ａとを結ぶ第１通路１６ａと、第１折り返し点１５ａと第２折り返し点１５ｂとを結ぶ第２通路１６ｂと、第２折り返し点１５ｂと巻き込み専用路１１とを結ぶ第３通路１６ｃとを備えるもので、第１折り返し点１５ａと第２折り返し点１５ｂとを経由してジグザグに（進行方向を交互に変更した状態にて）引き出し専用路１３から巻き込み専用路１１へ伸びているものである。
【００２１】
第１通路１６ａは、引き出し専用路１３と第１折り返し点１５ａとを結ぶもので、引き出し専用路１３から第１折り返し点１５ａに向けて、巻き込み方向（正回転方向：矢印Ｌ方向）に伸びるものである。
【００２２】
第２通路１６ｂは、第１折り返し点１５ａと第２折り返し点１５ｂとを結ぶもので、第１折り返し点１５ａから第２折り返し点１５ｂに向けて、引き出し方向（逆回転方向：矢印Ｒ方向）に伸びるものである。
【００２３】
第３通路１６ｃは、第２折り返し点１５ｂと巻き込み専用路１１とを結ぶもので、第２折り返し点１５ｂから巻き込み専用路１１に向けて、巻き込み方向（正回転方向：矢印Ｌ方向）に伸びるものである。
【００２４】
第１折り返し点１５ａと第２折り返し点１５ｂとは、被案内部５１の通路の一部を構成するとともに被案内部５１を一時的に係止するものであり、これらの第１折り返し点１５ａと第２折り返し点１５ｂに入った被案内部５１は、入ってきた方向へは進行できずに停止し、入ってきた方向と逆方向に出ていくことになる。なお、これらの折り返し点１５ａ、１５ｂは「点」という表現を用いたが、所定の長さを持つものであってもよく、要は、入ってきた被案内部５１を入ってきた方向への進行を停止でき、且つ入ってきた方向とは逆回転方向に被案内部５１が出で行くように被案内部５１を案内するものであればよい。従って、第１折り返し点１５ａを例に挙げれば、第１通路１６ａと第２通路１６ｂとによって、平面視Ｖ字状の形状をなすようにしているが、第１折り返し点１５ａを長くすることによって平面視Ｙ字状の形状をなすようにしてもよい。即ち、各折り返し点１５ａ、１５ｂについては、例えば、ケースを半周以上するような長い通路として実施してもよい。さらに各折り返し点１５ａ、１５ｂの付近に被案内部５１が入ってくる時には抵抗が小さく、出て行く時には抵抗が大きくなるような逆鉤状の小突起を設けて実施してもよい。
【００２５】
以上が案内路の主たる構成である。なお、各通路には、被案内部５１が間違いなく導かれて逆行しないように、案内路には高さの差や傾斜などの逆行防止構造が施されているが、この逆行防止構造の説明をする前に、被案内部の動きについて、図５、図６を参照して説明する。
【００２６】
（引き出し工程）
まず、コードを手で引き出すなど、コードに対して引き出し方向への引張力が加わると、それに伴いリールが回転する。このリールの引き出し方向（Ｒ方向）への回転に伴い、ストップレバー５の被案内部５１は、引き出し専用路１３を引き出し方向（逆回転方向：矢印Ｒ方向）へ周回する（図５）。このとき、被案内部５１が巻き込み専用路１１にある場合には、被案内部５１は巻き込み専用路１１を引き出し方向（逆回転方向：矢印Ｒ方向）に移動し、逆回転方向に向けて伸びる渡り路１２に入り、渡り路１２を経て引き出し専用路１３内に入り、この引き出し専用路１３内を逆回転方向に周回する（図５）。
【００２７】
（１次係止工程）
次に、コードから手を離すなど、コードに対する引張力が消滅若しくは低減すると、ゼンマイバネの付勢力により、リールが巻き込み方向（正回転方向：矢印Ｌ方向）に回転し、ストップレバー５の被案内部５１が引き出し専用路１３から連絡路１４の第１路１６ａに入り、第１折り返し点１５ａへ案内される（図６の矢印Ａ）。そして行き止まりとなっている第１折り返し点１５ａで被案内部５１は係止され、リール３の回動が停止する。なお、この係止状態とは、被案内部５１が第１折り返し点１５ａから巻き込み方向（正回転方向：矢印Ｌ方向）に移動不能な状態となることであり、逆方向には移動可能となっている。言い換えれば、自由状態にあるリールが、ゼンマイバネの付勢力によっては、巻き込み方向（正回転方向：矢印Ｌ方向）に回転しない状態となるもので、引き出し方向（逆回転方向）へリールは回転することができる。
【００２８】
（２次引き出し工程〜２次係止工程）
次に、コードがさらに引かれるなど、コードに対する引張力が加わる若しくは増大すると、この引き出し方向の力により、リールが引き出し方向（Ｒ方向）へ回転し、被案内部５１が、第１折り返し点１５ａから出て、第２通路１６ｂに案内されて第２折り返し点１５ｂへ案内される（図６の矢印Ｂ）。そして行き止まりとなっている第２折り返し点１５ｂで被案内部５１は係止され、リール３の回動が停止する。なお、この係止状態とは、被案内部５１が第２折り返し点１５ｂから引き出し方向（逆回転方向：矢印Ｒ方向）に移動不能な状態となることであり、逆方向には移動可能となっている。言い換えれば、コードに対する引き出し方向の引張力によっては、引き出し方向（逆回転方向：矢印Ｒ方向）にリールが回転しない状態となるもので、巻き込み方向（正回転方向：矢印Ｌ方向）へは回転することができる。
【００２９】
本願発明では、このように、一度所望の長さまでコードが引き出された後、再度コードに対して引き出し方向の引張力が加わった場合にあっても、所定の長さ（具体的には、第１と第２の折り返し点１５ａと１５ｂとの間の長さ）分だけリールが回転してコードが引き出されるだけで、それ以上のリールの回転並びにコードの引き出しが停止するような構造を持った長尺状体の巻き取り装置を提供し得たものである。
【００３０】
（巻き込み工程）
次に、コードに対する引張力が消滅若しくは減少すると、ゼンマイバネの付勢力により、リールが巻き込み方向（正回転方向：矢印Ｌ方向）に回転し、ストップレバー５の被案内部５１が第２折り返し点１５ｂから出て、第３通路１６ｃを通って、巻き込み専用路１１へ案内される（図６の矢印Ｃ。巻き込み専用路１１に入った被案内部５１は、同専用路１１内を周回し続ける。これにより、リール３はコードを全て巻き取るまで回転を続けることとなる（図６の矢印Ｄ）。
【００３１】
以上の動きの繰り返しによって、コードは引き出され、巻き取られるものであるが、リールが何れの方向に回転するかは、摩擦抵抗やコードの重量等を除けば、主として、コードに対して加えられる引き出し方向への引張力と、ゼンマイバネの付勢力とのバランスによって決まるものであり、引張力が付勢力よりも大きいとリールは引き出し方向（逆回転方向）に回転せんとし、逆の場合には巻き取り方向（正回転方向）に回転せんとするものである。
【００３２】
次に、逆行防止構造の説明を行う。
この逆行防止構造は、被案内部５１が案内路に適正に案内され、設計者の意図通りの挙動を示すように設けられたもので、主として溝の高さや傾斜によって実現される。この逆行防止構造は、各案内路の交点付近や折り返し点付近に設けられるものである。図２を参照しつつ具体的に説明すると、下記の（１）〜（６）に挙げる逆行防止構造ｆ〜ｋを備える。
（１）巻き込み専用路１１と渡り路１２との交点付近の逆行防止構造ｆ（図２（Ｂ）のＦ−Ｆ’線断図参照）、
（２）渡り路１２と引き出し専用路１３の交点付近の逆行防止構造ｇ（図２（Ｂ）のＧ−Ｇ’線断図参照）、
（３）引き出し専用路１３と第１通路１６ａとの交点付近の逆行防止構造ｈ（図２（Ｃ）のＨ−Ｈ’線断図参照）、
（４）第１通路１６ａと第２通路１６ｂとの交点付近の逆行防止構造ｉ（図２（Ｄ）のＩ−Ｉ’線断図参照）、
（５）第２通路１６ｂと第３通路１６ｃとの交点付近の逆行防止構造ｊ（図２（Ｅ）のＪ−Ｊ’線断図参照）、
（６）第３通路１６ｃと巻き込み専用路１１との交点付近の逆行防止構造ｋ（図２（Ｆ）のＫ−Ｋ’線断図参照）、
【００３３】
この図示に示す逆行防止構造ｆ〜ｋは、通路の境界域に高低差を設けるもので、順方向（被案内部５１に対する正常な案内方向）に向かって被案内部５１が移動する場合には、移動を妨げる高低差（若しくは傾斜）とはならず、逆方向（被案内部５１に対する異常な案内方向）に移動する場合には、移動を妨げる高低差（若しくは傾斜）となる段差を設けたものである。なお、図２において、水平に溝（溝の底部）が形成されている部位には、ハッチングを示してある。
【００３４】
（１）巻き込み専用路１１と渡り路１２との交点付近の逆行防止構造ｆ（図２（Ｂ）のＦ−Ｆ’線断図参照）。
この段差ｆは、巻き込み専用路１１を斜めに横切るように、渡り路１２の延長線上に設けられたものであり、引き出し時に被案内部５１が渡り路１２へ正しく移行するように、言い換えれば、いつまでも巻き込み専用路１１を周回しないようにするものである。
従って、引き出し方向（逆回転方向：矢印Ｒ方向）に被案内部５１が移動する際の手前側（図２（Ｂ）のＦ’側）が低く、向こう側（図２（Ｂ）のＦ側）が高く設定され、被案内部５１がこの段差ｆを乗り越えて周回することを防止できる構造となっている。その結果、被案内部５１は、この段差ｆに逆行が防止された状態で、渡り路１２に移行するもので、巻き込み専用路１１から渡り路１２にかけては、ハッチングで示したように、略同一平面とされ、スムーズに渡り路１２に導かれる状態となっている。なお、段差がなければ下り斜面や場合によっては登り斜面であってもよい。
他方、コードが巻き込まれる際には、被案内部５１は巻き込み方向（正回転方向：矢印Ｌ方向）に周回するが、この場合は、被案内部５１は、上記とは逆方向に移動するものであるため、図２（Ｂ）のＦ側が手前側となり、図２（Ｂ）のＦ’側が向こう側となり、被案内部５１は段差ｆを降りるように移動する。そのため、段差ｆの存在は問題とならず、連続した周回が可能となる。なお、このために、巻き込み専用路１１は、巻き込み方向（正回転方向：矢印Ｌ方向）の手前側（図２（Ｂ）のＦ側）から段差ｆに向けて徐々に高くなっていく斜面として実施されている。
【００３５】
（２）渡り路１２と引き出し専用路１３の交点付近の逆行防止構造ｇ（図２（Ｂ）のＧ−Ｇ’線断図参照。なお先の逆行防止構造ｆと同一の構造のため、同一の図で符号のみを２つ附している）。
この段差ｇは、渡り路１２を斜めに横切るように、引き出し専用路１３の周回線上に設けられたものであり、引き出し時に被案内部５１が渡り路１２から正しく引き出し専用路１３に移行し、引き出し専用路１３から渡り路１２へ逆戻りしないように、設けられたものである。
従って、引き出し方向（逆回転方向：矢印Ｒ方向）に被案内部５１が移動する際の手前側（渡り路１２側：図２（Ｂ）のＧ側）が高く、向こう側（引き出し専用路１３側：図２（Ｂ）のＧ’側）が低く設定され、被案内部５１はこの段差ｇを降りるようにして引き出し専用路１３に移行できる構造となっている。このために、渡り路１２は、引き出し方向（逆回転方向：矢印Ｒ方向）の手前側（図２（Ｂ）のＧ側）から段差ｇに向けて徐々に高くなっていく斜面として実施されている。
他方、移行した被案内部５１が、引き出し専用路１３内を引き出し方向に周回する間は、段差ｇの存在によって、渡り路１２へ逆戻りすることが防止される。
【００３６】
（３）引き出し専用路１３と第１通路１６ａとの交点付近の逆行防止構造ｈ（図２（Ｃ）のＨ−Ｈ’線断図参照）。
この段差ｈは、引き出し専用路１３を斜めに横切るように、第１通路１６ａの延長線上に設けられたものであり、巻き込み方向への回転時に被案内部５１が第１通路１６ａへ正しく移行するように、言い換えれば、いつまでも引き出し専用路１３を周回しないようにするものである。
従って、段差ｈは、巻き込み方向（正回転方向：矢印Ｌ方向）に被案内部５１が移動する際の手前側（図２（Ｃ）のＨ’側）が切り立った急斜面の段差となり、向こう側（図２（Ｃ）のＨ側）が緩斜面に設定され、被案内部５１がこの段差ｈを乗り越えて周回することを防止できる構造となっている。従って、被案内部５１は、この段差ｈによって逆行が防止された状態で、第１通路１６ａに移行するもので、引き出し専用路１３から第１通路１６ａにかけては、ハッチングで示したように、略同一平面とされて、第１通路１６ａに導かれる状態となっている。
他方、コードを引き出している間は、被案内部５１は引き出し方向（逆回転方向：矢印Ｒ方向）に周回するが、この場合は、被案内部５１は、上記とは逆方向に移動すべきものであるため、図２（Ｃ）のＨ側が手前側となり、図２（Ｃ）のＨ’側が向こう側となり、被案内部５１は緩斜面を登った後、段差ｈを降りるように移動する。そのため、段差ｈの存在は問題とならず、連続した周回が可能となる。なお、このために、引き出し専用路１３は、引き出し方向（逆回転方向：矢印Ｒ方向）の手前側（図２（Ｃ）のＨ側）から段差ｈに向けて徐々に高くなっていく緩斜面として実施されている。
【００３７】
（４）第１通路１６ａと第２通路１６ｂとの交点付近の逆行防止構造ｉ（図２（Ｄ）のＩ−Ｉ’線断図参照）。
この逆行防止構造ｉも、先の例と同様であり、段差ｉは第１通路１６ａを斜めに横切るように、第２通路１６ｂの延長線上に設けられたものであり、巻き込み方向（正回転方向：矢印Ｌ方向）にリールが回転する際、被案内部５１が第１通路１６ａから正しく第１折り返し点１５ａ並びに第２通路１６ｂに移行し、第１折り返し点１５ａ並びに第２通路１６ｂから第１通路１６ａへ逆戻りしないように、設けられたものである。高低差は、第１通路１６ａ側（Ｉ側）が高く、第１折り返し点１５ａ並びに第２通路１６ｂ側（Ｉ側’）が低く設定されている。この例では、段差ｉの高い側（Ｉ側）は平面とされ、低い側（Ｉ’側）はさらに低い面とされている。
【００３８】
（５）第２通路１６ｂと第３通路１６ｃとの交点付近の逆行防止構造ｊ（図２（Ｅ）のＪ−Ｊ’線断図参照）。
この逆行防止構造ｉも、先の例と同様であり、段差ｊは第２通路１６ｂを斜めに横切るように、第３通路１６ｃの延長線上に設けられたものであり、引き出し方向（逆回転方向：矢印Ｒ方向）にリールが回転する際、被案内部５１が第２通路１６ｂから正しく第２折り返し点１５ｂ並びに第３通路１６ｃに移行し、第２折り返し点１５ｂ並びに第３通路１６ｃから第２通路１６ｂへ逆戻りしないように、設けられたものである。この段差ｊは、第２通路１６ｂ側（Ｊ側）が緩斜面とされ、第２折り返し点１５ｂ並びに第３通路１６ｃ側（Ｊ’側）が急斜面に設定されている。即ち、この例では、Ｊ側は緩やかな登り斜面とされて段差ｊを乗り越えることができるのに対して、Ｊ’側は高さ自体は高いが、傾斜が急で逆方向には登れない構造となっている。
【００３９】
（６）第３通路１６ｃと巻き込み専用路１１との交点付近の逆行防止構造ｋ（図２（Ｆ）のＫ−Ｋ’線断図参照）。
この逆行防止構造ｋは、先の（５）逆行防止構造ｊと同様であり、詳しい説明は省略するが、第３通路１６ｃ側（Ｋ側）からは被案内部５１が登り得る緩斜面であり、巻き込み専用路１１側Ｋ’側からは被案内部５１が登り得ない急斜面とされている。
【００４０】
なお、これらの段差は相対的な位置関係を示すもので、登り斜面と段差の組み合わせの他、フラットの面と段差の組み合わせであってもよく、場合によっては下り斜面と段差の組み合わせであってもよい。また、この逆行防止構造は必須のものではなく、逆行の生じる可能性が高い部分に設ければ足りる。具体的には、（１）巻き込み専用路１１と渡り路１２との交点付近の逆行防止構造ｆ、（４）第１通路１６ａと第２通路１６ｂとの交点付近の逆行防止構造ｉ、（５）第２通路１６ｂと第３通路１６ｃとの交点付近の逆行防止構造ｊについては設けることが望ましいが、他の部分については省略しても実施可能である。また、被案内部５１（言い換えればストップレバー５）を径内方向へ弾性体等によって付勢しておくことにより、（１）巻き込み専用路１１と渡り路１２との交点付近の逆行防止構造ｆについては、逆行防止構造を省略できる。反対に径外方向に付勢しておくことによって、（４）第１通路１６ａと第２通路１６ｂとの交点付近の逆行防止構造ｉ、（５）第２通路１６ｂと第３通路１６ｃとの交点付近の逆行防止構造ｊについて、逆行防止構造を省略できる。また、このような付勢手段を設けることによって、溝についても、内周側と外周側との何れか一方の壁に沿って被案内部が移動するため、他方の側の壁は省略して実施できる。
【００４１】
次に、図７に基づき本願発明の第２の実施の形態に係るコード巻き取り装置を説明する。図７の（Ａ）は第２の実施の形態に係るコード巻き取り装置のケースの要部平面図であり、（Ｂ）（Ｃ）は同断面図である。
【００４２】
この第２の実施の形態に係る巻き取り装置は、第１の実施の形態に係る装置と実質的に同一であり、案内路の形状のみが相違するに止まる。よって、リール等の構成については説明を省略し、また、第１の実施の形態と同一の箇所については、同一の符号を附して、その説明を省略する。
【００４３】
まず第１の相違点としては、第１の実施の形態にあっては、ケースに渡り路１２と連絡路１４とを一組設けたものであったが、この第２の実施の形態にあっては、これらを二組設けたものである。具体的には、図７に示すように、第１組の渡り路１２及び連絡路１４と、第２組の渡り路１２及び連絡路１４とを１８０度ずらして設けたものであり、軸１ｃを中心に点対称に設けられている。
【００４４】
このように複数組ｙの渡り路１２及び連絡路１４を設けることにより、ケースの径が大きい場合などに、ケース面積を有効利用することができることなどが挙げられるが、特に、第１の実施の形態にて説明した（引き出し工程）から（１次係止工程）に移行する際に、顕著に現れる。即ち、（引き出し工程）が終了した段階で、コードから手を離すなどして引張力が消滅減少すると、（１次係止工程）に移って、弾性体の付勢力によりリールが正回転方向に回転してコードを巻き取った後、停止する。これを被案内部５１の動きで見ると、（引き出し工程）が終了した段階で、被案内部５１は引き出し専用路１３にあり、この状態から引張力が消滅減少すると、（１次係止工程）に移って、引き出し専用路１３から第１通路１６ａを通って第１折り返し点１５ａに入って停止する。その際、被案内部５１が引き出し専用路１３のどの位置にあるかで、（１次係止工程）までのリールの回転角度は異なる。具体的には、第１通路１６ａへの入口付近にある場合には直ぐに第１通路１６ａ内に入るが、第１通路１６ａへの入口を通り越した位置にあると、引き出し専用路１３を１周近く回転した後に第１通路１６ａに入ることになる。
これに対して、第２の実施の形態では、第１通路１６ａが２組設けられているため、被案内部５１は直近の第１通路１６ａに入ることができ、長くても１８０度弱、リールが回転するだけで、第１通路１６ａに入ることができる。よって、（引き出し工程）から（１次係止工程）完了までの間のリールの回転角度を第１の実施の形態の場合よりも小さくすることができるものである。
【００４５】
従って、渡り路１２及び連絡路１４を設ける組数が３組以上になると、さらにリールの回転角度は小さくできる。また連絡路１４の数を渡り路１２の数よりも多くして実施することもできる。このように、渡り路１２及び連絡路１４は、必ずしも点対称の位置に設ける必要はなく、第１組の形状と第２組の形状とを異なるものとしてもよい。また、複数本の渡り路１２に対して１本の案内路１４を設けたり、逆に１本の渡り路１２に対して複数本の案内路１４を設けたりするなど、渡り路１２と案内路１４との数を異なるものとしてもよい。さらに、配列順についても、周方向に渡り路１２、渡り路１２、案内路１４、案内路１４の順に設けることも不可能ではない。
【００４６】
第２の相違点としては、案内路１４のうち、第３通路１６ｃを長く（具体的には周方向に９０度以上の長さに渡って）設けた点である。このように、第３通路１６ｃを長くすることにより、（６）第３通路１６ｃと巻き込み専用路１１との交点付近の逆行防止構造ｋを長い範囲で設けることができ、特にその断面図である図７（Ｂ）に示すように、逆行防止構造ｋに至る経路の斜面を長くすることができ、その分、斜面の傾斜角度を小さくできる。その結果、被案内部５１の上下動については、被案内部５１が斜面を徐々に登ることにより、上下動が急激になされることがない。その結果、被案内部５１が設けられたストップレバー５の挙動が安定する。
なお、図７（Ｂ）には、（１）巻き込み専用路１１と渡り路１２との交点付近の逆行防止構造ｌ、（２）渡り路１２と引き出し専用路１３の交点付近の逆行防止構造ｍ、（３）引き出し専用路１３と第１通路１６ａとの交点付近の逆行防止構造ｎ、及び、（６）第３通路１６ｃと巻き込み専用路１１との交点付近の逆行防止構造ｑが示されており、図７（Ｃ）には、（４）第１通路１６ａと第２通路１６ｂとの交点付近の逆行防止構造ｏ、及び、（５）第２通路１６ｂと第３通路１６ｃとの交点付近の逆行防止構造ｐが示されている。
【００４７】
以上のことから理解されるように、案内路の形状は、適宜変更でき、平面形状については曲線を主体とするものの、直線であってもよく、曲線と直線の組み合わせであってもよい。また、案内路の底部の形態は登り斜面と平面の組み合わせを主体とするものの、下り斜面を併用してもよい。
【００４８】
次に、図８に基づき本願発明の第３の実施の形態に係るコード巻き取り装置を説明する。この実施の形態においても、先の実施の形態と実質的に同一の部分は、同一の符号を附してその説明を省略する。
【００４９】
先の第１、第２の実施の形態にあっては、折り返し点が２個設けられたものであったが、この第３の実施の形態に係る巻き取り装置は、折り返し点が３個設けられたものである。即ち、第１折り返し点１５ａ、第２折り返し点１５ｂに加えて、第３折り返し点１５ｃが設けられたものである。第３通路１６ｃは、第２折り返し点１５ｂと第３折り返し点１５ｃとをつなぐ通路とされ、第３折り返し点１５ｃと巻き取り専用路１１とが第４通路１６ｄによってつながれたものである。
【００５０】
この第３折り返し点１５ｃは第１折り返し点１５ａと同様、被案内部５１が巻き込み方向（正回転方向：矢印Ｌ方向）に向けて移動することを停止させるものである。第３通路１６ｃは、第２折り返し点１５ｂから第３折り返し点１５ｃに向けて、巻き込み方向（正回転方向：矢印Ｌ方向）に伸びるものであり、第４通路１６ｄは、第３折り返し点１５ｃから巻き込み専用路１１に向けて、引き出し方向（逆回転方向：矢印Ｒ方向）に伸びるものである。
なお、先の実施例と同様の逆行防止構造を、第３通路１６ｃと第４通路１６ｄとの交点付近、第４通路１６ｄと巻き取り専用路１１との交点付近にも設けておくことが望ましい。
【００５１】
この実施の形態にあっては、（引き出し工程）、（１次係止工程）、（２次引き出し工程〜２次係止工程）は、先の実施の形態と同様に行われる。
そして、（２次引き出し工程〜２次係止工程）が終了した後、（３次係止工程）が新たに付加され、最終の（巻き込み工程）に移る点が先の例と相違する。
具体的には、（２次引き出し工程〜２次係止工程）が終了した段階では、コードに対する引張力が加えられた状態で、被案内部５１が第２折り返し点１５ｂで停止しており、この状態から（３次係止工程）に移る。
【００５２】
（３次係止工程）
被案内部５１が第２折り返し点１５ｂで停止している状態から、コードに対する引張力が消滅若しくは減少すると、ゼンマイバネの付勢力により、リールが巻き込み方向（正回転方向：矢印Ｌ方向）に回転し、ストップレバー５の被案内部５１が第２折り返し点１５ｂから出て、第３通路１６ｃを通って、第３折り返し点１５ｃに入り、同方向へは行き止まりとなった第３折り返し点１５ｃで停止する。謂わば、第１折り返し点１５ａにて係止されている状態と同じ状態となる。
その結果、先の例では、被案内部５１が第２折り返し点１５ｂで停止している状態から、コードに対する引張力が消滅若しくは減少すると、ゼンマイバネの付勢力により、リールが回転を続けて、コードを全て巻き取ってしまっていたが、この例では、上記のように、コードに対する引張力が消滅若しくは減少した段階で、再度、コードの巻き取りが停止されるものである。
【００５３】
（巻き込み工程）
次に、コードを再度引っ張るなどして、コードに対する引張力が加えられ若しくは増大すると、リールが引き出し方向（逆回転方向：矢印Ｒ方向）に回転し、ストップレバー５の被案内部５１が第３折り返し点１５ｃから出て、第４通路１６ｄを通って、巻き込み専用路１１へ案内される。巻き込み専用路１１に入った被案内部５１は、同専用路１１内を引き出し方向（逆回転方向：矢印Ｒ方向）へ周回し続けることができるが、適当な段階でコードから手を離すなどして、コードに対する引張力を消滅若しくは減少すると、付勢手段の付勢力によって、リールが巻き込み方向（正回転方向：矢印Ｌ方向）に回転し、被案内部５１は、巻き込み専用路１１内を周回し続ける。これにより、リール３はコードを全て巻き取るまで回転を続けることとなる。
【００５４】
以上の要領でコードは引き出され、巻き取られるものであり、この第３の実施の形態では、一旦所望の長さに引き出されて停止したコードに対して２度引張力が加わることによって、コードの全量巻き取りが行われる構造を提供したものである。なお、第１〜第３に加えて第４折り返し点をさらに設けることによって、（３次係止工程）終了後、（巻き込み工程）の初期の段階で、コードをいつまでも引っ張ることがないように、係止できるものである。
【００５５】
以上、上記の各実施の形態に関する説明において、一の実施の形態に関して記載された事項は、矛盾が生じるものを除き、全て他の実施の形態に関する説明に記載されたものとする。
また上記の実施の形態の他、本願発明は種々変更して実施し得るものであり、例えば、上記の各実施の形態では、長尺状体を巻回するリールを１個のみ設けたが、リールを複数個設けて実施してもよい。その場合、複数個のリールは、同軸上に同体に回転可能に設けておく。これにより、一方のリール２にストップレバー５及び被案内部５１を設け、ケースなどの支持体に設けた案内路との関係でその回転と停止を制御すれば、他のリールについても、同じ制御が行い得る。従って、複数個のリールは、一体に形成されている必要はなく、別部材で構成して、これらを接続手段で接続することによって同体に回転するものであってもよい。より具体的には、リールは、実公平４−２０８６０号に示されたような、上、下、二つの上回転胴と下回転胴を有するものとし、この二つの回転胴にコードを巻回し、下回転胴とケースの下面との間の空間にゼンマイバネとストップレバーを配位するようにしたものとすることもできる。複数のリールは、同じ大きさであってもよいが、異なる大きさのものとして実施することも可能である。また、リール毎に、電源コードと信号コード、コードと紐状体等々、巻き取られる長尺状体の種類を異なるものとしてよい。
【００５６】
回転するリールにおけるコードの接続方式は、無接点方式、接点方式等、種々の方式を採用し得る。被案内部５１は、ストップレバー５に設けたものとしたが、ストップレバーを用いずに、リールに鋼球等の遊動子を配位し、この遊動子を被案内部として、案内溝に案内させるようにしてもよい。また、被案内部５１をストップレバー５に設ける場合においても、図９に示すように、つる巻きバネ５４によって外方向に付勢するようにしたり、付勢手段５３に代えて棒状体５５にしたりする等、案内溝によってリールの動きを規制できるものであれば良く、適宜変更できる。案内溝は、巻き込み専用路１１を外周側に、引き出し専用路１３を内周側に設けたが、反対に巻き込み専用路１１を内周側に、引き出し専用路１３を外周側に設けてもよい。巻き込みの回転方向は、左右何れの方向に実施してもよい。また、溝の形成のための段差変化は、３段階や４段階の段差変化とするなど、巻き込み専用路と引き出し専用路の高さを若干異なるようにしたり、各溝の深さを若干異なるようにしたりして、より円滑で確実な被案内部５１の案内を行うようにする等してもよい。また、上記の実施の形態では、電源コードや信号コードなどのコード類を巻き取るコードリールとして実施したが、水道ホースやガスホース等のホース類、ロープ、ワイヤ、紐等々、各種の長尺状体に変更して実施することもできる。その際、先の例ではコードの電気的接続を得るために接点部を設けて実施したが、長尺状体の用途によってはこれらの接点部は不要であれば省略して実施されるものである。また、コード等の先端側に設けるものも長尺状体の種類に応じて適宜変更でき、例えば、長尺状体の先端側を自由状態して、巻き取り装置側を固定して巻き取りによって先端側が巻き取り装置側に近づくものとして実施してもよく、反対に、長尺状体の先端側を固定して、巻き取り装置側を自由状態として、巻き取りによって巻き取り装置側が長尺状体側に接近するものとして実施してもよく、さらに、巻き取り装置側と長尺状体の先端側の双方を自由状態にして実施してもよい。ここで、固定側としては、ぜんまいばね等の付勢手段の力で動かない電気器具、重量物、建造物の壁面、天井、床面等々を例示することができ、自由状態側としては、ぜんまいばね等の付勢手段の力で動くことができる軽量物、例えば、差込プラグ、玩具、家庭日用品などを例示し得る。また、双方を固定状態として、長尺状体を固定した両端間にピンと張ると言った用途に用いても良い。
【００５７】
以上の各実施の形態では、リール側に被案内部を設け、ケース側に案内路を設けたが、リール側に案内路を設け、ケース側に被案内部を設けるようにして実施することもできる。ただし、実施の形態ではリールの回転方向と被案内部の回転方向とが一致するが、後者の場合には、リールの回転方向と被案内部の回転方向とが反対方向となる。
【図面の簡単な説明】
【００５８】
【図１】本願発明の第１の実施の形態に係るコード巻き取り装置のケースの平面図である。
【図２】（Ａ）は第１の実施の形態に係るコード巻き取り装置のケースの要部平面図であり、（Ｂ）（Ｃ）（Ｄ）（Ｅ）（Ｆ）はそれぞれ同断面図である。
【図３】（Ａ）は同装置のストップレバーの斜視図であり、（Ｂ）は同装置のストップレバーを取り付けたリールを下方から見た斜視図である。
【図４】同装置の断面図である。
【図５】同装置におけるケースの案内路の平面図であり、主としてコードを引き出した際の被案内部の移動経路を示すものである。
【図６】同装置におけるケースの案内路の平面図であり、主としてコードを巻き込む際の被案内部の移動経路を示すものである。
【図７】（Ａ）は第２の実施の形態に係るコード巻き取り装置のケースの要部拡大平面図であり、（Ｂ）（Ｃ）はそれぞれ同断面図である。
【図８】第３の実施の形態に係るコード巻き取り装置のケースの平面図である。
【図９】本願の実施の形態に係るコード巻き取り装置に用いられるストップレバーの変更例を示すもので、ストップレバーを取り付けたリールを下方から見た斜視図である。
【図１０】従来のコード巻き取り装置のケースの平面図である。
【符号の説明】
【００５９】
１      ケース
２      リール
３      付勢手段（ゼンマイバネ）
４      長尺状体（コード）
５      ストップレバー
５１    被案内部
１１    き込み専用路
１２    引き出し専用路
１３    渡り路
１４    連絡溝
１５ａ  第１折り返し点
１５ｂ  第２折り返し点
１６ａ  第１通路
１６ｂ  第２通路
１６ｃ  第３通路
１６ｄ  第４通路
【図１】
2005089032.tif 000003
【図２】
2005089032.tif 000004
【図３】
2005089032.tif 000005
【図４】
2005089032.tif 000006
【図５】
2005089032.tif 000007
【図６】
2005089032.tif 000008
【図７】
2005089032.tif 000009
【図８】
2005089032.tif 000010
【図９】
2005089032.tif 000011
【図１０】
2005089032.tif 000012